(57)【特許請求の範囲】
【請求項１】
走査方向と交わる方向に配列した複数の記録素子による記録素子群が複数設けられた記録ヘッドを、走査方向に走査して記録を行う記録方法であって、
複数の記録素子群間の記録素子配列方向における記録位置の調整処理であって、複数の記録素子群間の記録位置のずれ量に応じて、それぞれの記録素子群ごとに記録に使用する記録素子を限定する第１の記録位置調整、および
複数の記録素子群間の記録素子配列方向における記録位置の調整処理であって、複数の記録素子群間の記録位置のずれ量に応じて、それぞれの記録素子群ごとに対応する記録データをずらす第２の記録位置調整、
を実行可能であり、前記記録を行う際の記録条件に応じて、前記第１の記録位置調整または前記第２の記録位置調整を実行することを特徴とする記録方法。
【請求項２】
前記記録条件は記録モードであり、
第１の記録モードでは、第１の記録位置調整を実行し、
前記第１の記録モードよりも前記記録ヘッドの駆動解像度が高い第２の記録モードでは、第２の記録位置調整を実行することを特徴とする請求項１に記載の記録方法。
【請求項３】
前記記録条件は記録媒体の種類であり、
記録媒体の種類が高品位用紙の場合に、第１の記録位置調整を実行し、
記録媒体の種類が普通紙の場合に第２の記録位置調整を実行することを特徴とする請求項１に記載の記録方法。
【請求項４】
前記記録条件は前記ずれ量および記録すべき画像のサイズであり、
前記記録条件は前記ずれ量と記録すべき画像のサイズとに応じて、第１の記録位置調整または第２の記録位置調整を実行することを特徴とする請求項１に記載の記録方法。
【請求項５】
記録位置調整処理として、複数の記録素子群間の記録位置のずれ量に応じて、それぞれの記録素子群ごとに記録に使用する記録素子を限定する記録位置調整処理を実行したときの、記録媒体の所定領域を記録するための記録ヘッドの走査の回数の変化を判断し、
記録素子の限定によって走査回数が変化しないときは、前記第１の記録位置調整を行い、
記録素子の限定によって走査回数が変化するときは、前記第２の記録位置調整を行うことを特徴とする請求項１に記載の記録方法。
【請求項６】
記録位置調整処理として、複数の記録素子群間の記録位置のずれ量に応じて、それぞれの記録素子群ごとに対応する記録データをずらす記録位置調整処理を実行したときの、記録素子の記録ヘッドの副走査方向に対応した解像度と、記録データをずらす処理を行う際の記録データの記録ヘッドの副走査方向に対応した解像度と、を比較し、
前記記録データの縦方向の解像度が前記記録素子の縦方向の解像度より低いときは、前記第１の記録位置調整を行い、
前記記録データの縦方向の解像度が前記記録素子の縦方向の解像度以上のときは、前記第２の記録位置調整を行うことを特徴とする請求項１に記載の記録方法。
【請求項７】
走査方向と交わる方向に配列した複数の記録素子による記録素子群が複数設けられた記録ヘッドを、走査方向に走査して記録を行う記録装置であって、
複数の記録素子群間の記録素子配列方向における記録位置の調整処理であって、複数の記録素子群間の記録位置のずれ量に応じて、それぞれの記録素子群ごとに記録に使用する記録素子を限定する第１の記録位置調整、および
複数の記録素子群間の記録素子配列方向における記録位置の調整処理であって、複数の記録素子群間の記録位置のずれ量に応じて、それぞれの記録素子群ごとに対応する記録データをずらす第２の記録位置調整、
を実行可能であることを特徴とする記録装置。
【請求項８】
記録条件に応じて、前記第１の記録位置調整または前記第２の記録位置調整を実行することを特徴とする請求項７に記載の記録装置。
【請求項９】
前記記録条件は記録モードであり、
第１の記録モードでは、第１の記録位置調整を実行し、
前記第１の記録モードよりも前記記録ヘッドの駆動解像度が高い第２の記録モードでは、第２の記録位置調整を実行することを特徴とする請求項８に記載の記録装置。
【請求項１０】
前記記録条件は記録媒体の種類であり、
記録媒体の種類が高品位用紙の場合に、第１の記録位置調整を実行し、
記録媒体の種類が普通紙の場合に第２の記録位置調整を実行することを特徴とする請求項８に記載の記録装置。
【請求項１１】
前記記録条件は前記ずれ量および記録すべき画像のサイズであり、
前記記録条件は前記ずれ量と記録すべき画像のサイズとに応じて、第１の記録位置調整または第２の記録位置調整を実行することを特徴とする請求項８に記載の記録装置。
【請求項１２】
記録位置調整処理として、複数の記録素子群間の記録位置のずれ量に応じて、それぞれの記録素子群ごとに記録に使用する記録素子を限定する記録位置調整処理を実行したときの、記録媒体の所定領域を記録するための記録ヘッドの走査の回数の変化を判断し、
記録素子の限定によって走査回数が変化しないときは、前記第１の記録位置調整を行い、
記録素子の限定によって走査回数が変化するときは、前記第２の記録位置調整を行うことを特徴とする請求項７に記載の記録装置。
【請求項１３】
記録位置調整処理として、複数の記録素子群間の記録位置のずれ量に応じて、それぞれの記録素子群ごとに対応する記録データをずらす記録位置調整処理を実行したときの、記録素子の記録ヘッドの副走査方向に対応した解像度と、記録データをずらす処理を行う際の記録データの記録ヘッドの副走査方向に対応した解像度と、を比較し、
前記記録データの縦方向の解像度が前記記録素子の縦方向の解像度より低いときは、前記第１の記録位置調整を行い、
前記記録データの縦方向の解像度が前記記録素子の縦方向の解像度以上のときは、前記第２の記録位置調整を行うことを特徴とする請求項７に記載の記録装置。
【請求項１４】
コンピュータに読取られることにより、該コンピュータを記録データ生成処理の制御装置として機能させるプログラムであって、前記機能は、
複数の記録素子群間の記録素子配列方向における記録位置の調整処理であって、複数の記録素子群間の記録位置のずれ量に応じて、それぞれの記録素子群ごとに記録に使用する記録素子を限定する記録位置調整処理と、記録ヘッドの走査領域単位ごとに行われる画像処理と、をこの順序で実行する第１の処理、または、
複数の記録素子群間の記録素子配列方向における記録位置の調整処理であって、複数の記録素子群間の記録位置のずれ量に応じて、それぞれの記録素子群ごとに対応する記録データをずらす記録位置調整処理と、記録ヘッドの走査領域単位ごとに行われる画像処理と、をこの順序で実行する第２の処理、
を実行することを特徴とするプログラム。
【発明の詳細な説明】
【技術分野】
【０００１】
本発明は、記録方法および記録装置に関し、詳しくは、記録データ生成に関して行なわれる、記録ヘッドにおいて配列する記録素子ごとの記録位置調整に関するものである。
【背景技術】
【０００２】
パーソナルコンピュータ、ワードプロセッサ、ファクシミリ等における情報出力装置として、文字や画像等の情報を用紙やフィルム状シート等の記録媒体に記録を行うプリンタなどの記録装置が広く使用されている。記録装置の記録方式としては様々な方式が知られているが、用紙等の記録媒体に非接触記録が可能であり、カラー化が容易、静粛性に富む等の理由でインクジェット方式が近年広く用いられている。そして、このインクジェット方式の記録装置では、記録情報に応じてインクを吐出する記録ヘッドをキャリッジに搭載すると共に用紙等の記録媒体の送り方向と交差する方向（以下、主走査方向）に往復走査しながら記録を行うシリアル記録方式が一般的である。
【０００３】
シリアル方式では、キャリッジを記録媒体に対して移動させる際の往路と復路との両方で記録ヘッドからインクを吐出させて記録を行う、いわゆる双方向記録が実施されており、これにより、記録速度の向上を図ることができる。また、記録ヘッドに配列するインク吐出口（ノズルとも言う）の数を多くすることによっても記録速度の向上を図っている。
【０００４】
ところで、従来、記録ヘッドにおけるインクの種類ないし色ごとの吐出口の位置が相互にずれることに起因した記録位置ずれの問題が知られている。特に、上記のように、配列する吐出口の数が多くなるほどこの問題は顕著となる。
【０００５】
図１（ａ）〜（ｃ）は、複数の記録ヘッド間のノズル位置のずれを説明する図である。これらの図は、それぞれ、Ｋ（ブラック）、Ｃ（シアン）、Ｍ（マゼンダ）、Ｙ（イエロー）の各色インクを吐出するそれぞれの記録ヘッドの例を示している。図１（ａ）は、各色インクの記録ヘッドが、各色インクのヘッドが同一の長さ（ノズル配列長）であり、主走査方向に配置されているヘッド構成の例を示している。また、図１（ｂ）は、各色インクの記録ヘッドの一部が、異なる長さであり、主走査方向に配置されているヘッド構成を示している。さらに、図１（ｃ）は、各色インクの記録ヘッドが、同じく一部が異なる長さであり、主走査方向に直交する方向に配置されるヘッド構成を示している。
【０００６】
ここで、各色記録ヘッド間で対応すべきノズルの位置関係が正しい関係にあれば、それぞれの吐出口から吐出されるインクは記録媒体上で正しい位置関係を形成し、所望の画像などを記録することができる。しかし、記録ヘッドの製造工程の精度や記録装置にヘッドを装着する際の精度によっては、正しいノズルの位置関係を実現できないことがある。例えば、図１（ａ）に示すヘッド構成では、Ｋヘッドに対し、Ｃヘッドは搬送方向（副走査方向）に対して下方向に１ノズル分、Ｍヘッドは上方向に２ノズル分、Ｙヘッドは上方向に１ノズル分ずれて配置されている。
【０００７】
図２は、図１（ａ）に示す記録ヘッドの全ノズルを使用して記録した結果の一例を示す図である。図２に示すように、記録領域Ａ１０１にはＭのみ、記録領域Ａ１０２にはＭとＹのみ、記録領域Ａ１０３にはＫとＭとＹのみ、記録領域Ａ１０４にはＫとＣとＹのみ、記録領域Ａ１０５にはＫとＣのみ、記録領域Ａ１０６にはＣのみが記録されることになる。
【０００８】
このような記録媒体の搬送方向（副走査方向）における記録位置のずれによる画質低下を低減するべく、各色記録ヘッドの記録位置を調整する（以下、縦レジ調整ともいう）が、従来行われている。従来の縦レジ調整として、記録に使用するノズルを限定して行うもの、予め設けられている縦レジ調整用のノズルを使用して行うもの、記録位置のズレ量に応じて、記録データをずらして記録を行うものが知られている（例えば、特許文献１、特許文献２参照）。
【０００９】
【特許文献１】特開平５−１０４７３９号公報
【特許文献２】特開平６−３１９０９号公報
【発明の開示】
【発明が解決しようとする課題】
【００１０】
しかしながら、従来、縦レジ調整を行う記録装置では、記録に使用するノズルの範囲を限定して調整を行う方法、記録データをずらして調整を行う方法のうち、いずれかの方法により調整を行っていた。
【００１１】
ところで、記録に使用するノズルの範囲を限定して縦レジ調整を行う場合には、使用ノズル範囲が制限されるために、記録装置のスループットが低下するという問題がある。また、記録データをずらす縦レジ調整方法では、記録データの解像度がノズル解像度（ノズルピッチ）よりも低い解像度の場合には、ノズル解像度未満でしか縦レジ調整を行うことができず、画像品位の悪化を招くことがある。
【００１２】
そのため、記録に使用するノズルの範囲を限定して縦レジ調整を行う記録装置では、常に使用ノズルが制限されて記録されることになり、所望のスループットが得られないことがあった。一方、記録データをずらす縦レジ調整方法を採用する記録装置では、記録データの解像度がノズル解像度未満であると、適切な縦レジ調整を行うことができず、高品位の画像記録を行いたいときであっても、所望の記録品位の画像が得られないことがあった。
【００１３】
本発明の目的は、記録に使用するノズルの範囲を限定する縦レジ調整方法と、記録データをずらす縦レジ調整方法とを実行可能な記録方法および記録装置を提供することにある。
【課題を解決するための手段】
【００１４】
そのために本発明では、走査方向と交わる方向に配列した複数の記録素子による記録素子群が複数設けられた記録ヘッドを、走査方向に走査して記録を行う記録方法であって、複数の記録素子群間の記録素子配列方向における記録位置の調整処理であって、複数の記録素子群間の記録位置のずれ量に応じて、それぞれの記録素子群ごとに記録に使用する記録素子を限定する第１の記録位置調整、および複数の記録素子群間の記録素子配列方向における記録位置の調整処理であって、複数の記録素子群間の記録位置のずれ量に応じて、それぞれの記録素子群ごとに対応する記録データをずらす第２の記録位置調整、を実行可能であり、前記記録を行う際の記録条件に応じて、前記第１の記録位置調整または前記第２の記録位置調整を実行することを特徴とする。
【００１５】
また、走査方向と交わる方向に配列した複数の記録素子による記録素子群が複数設けられた記録ヘッドを、走査方向に走査して記録を行う記録装置であって、複数の記録素子群間の記録素子配列方向における記録位置の調整処理であって、複数の記録素子群間の記録位置のずれ量に応じて、それぞれの記録素子群ごとに記録に使用する記録素子を限定する第１の記録位置調整、および複数の記録素子群間の記録素子配列方向における記録位置の調整処理であって、複数の記録素子群間の記録位置のずれ量に応じて、それぞれの記録素子群ごとに対応する記録データをずらす第２の記録位置調整、を実行可能であることを特徴とする。
【発明の効果】
【００１６】
以上の構成によれば、スループットの向上と記録画像の品位向上の両立が可能となる。
【発明を実施するための最良の形態】
【００１７】
以下、図面を参照して本発明の実施形態を詳細に説明する。以下に説明する実施形態では、インクジェット記録方式を用いた記録装置としてプリンタを例に挙げ説明する。
【００１８】
図３は、本発明の一実施形態に係わる記録システムの構成を示すブロック図である。図において、情報処理装置としてのホスト１００は、例えばパーソナルコンピュータとして実現されるものである。ホスト１００は、ＣＰＵ１０と、メモリ１１と、外部記憶装置１３と、キーボード等の入力部１２と、プリンタ２００との間の通信のためのインターフェース１４とを備えている。ＣＰＵ１０は、メモリ１１に格納されたプログラムに従い、図１１、図１３にて後述する処理を始めとして種々の処理を実行する。これらのプログラムは外部記憶装置１３に記憶され、あるいは外部接続装置から供給される。ホスト１００はインターフェース１４を介して記録装置としてのプリンタ２００と接続されており、画像処理を施した記録データをプリンタ２００に送信して記録を行わせることができる。
【００１９】
＜プリンタ構成＞
図４は、上述したプリンタ２００の機械的構成を示す概略斜視図である。図４において、１は紙或いはプラスチックシート等の記録シートを示し、カセット等に複数枚が積層されることにより、記録時には給紙ローラ（不図示）によって一枚ずつ分離されて供給される。そして、一定間隔を隔てて配置され、夫々個々のステッピングモータ（図示せず）によって駆動される第１搬送ローラ対３及び第２搬送ローラ対４によって、記録ヘッドの走査に応じたタイミングで図中矢印Ａ方向に所定量ずつ搬送される。
【００２０】
５（５ａ、5ｂ、5ｃ、5ｄ）は、記録シート１にインクを吐出して記録を行うためのインクジェット方式の記録ヘッドを示す。記録ヘッドに対するインク供給は、記録ヘッド自体に一体的にインクタンクが設けられたインクカートリッジ（不図示）から供給され、記録ヘッド５は、吐出信号に応じて駆動されることによりそのインク吐出口よりインクを吐出する。より詳細には、記録ヘッドの各インク吐出口に対応したインク路には電気熱変換素子が複数設けられており、この電気熱変換素子が発生する熱エネルギーを利用してインクに気泡を発生させこの気泡の圧力によってインクを吐出するものである。この記録ヘッド５及びインクカートリッジはキャリッジ６に搭載される。キャリッジ６にはベルト７及びプーリ８ａ、８ｂを介してキャリッジモータ２３の駆動力が伝達され、これにより、キャリッジ６はガイドシャフト９に沿って往復移動でき、記録ヘッドの走査を行うことが可能となる。
【００２１】
以上の構成において、記録ヘッド５は、図中矢印Ｂ方向（主走査方向）に走査しながら吐出信号に応じて記録シート１にインクを吐出してシート１上にインクのドットを形成して記録を行うことができる。記録ヘッド５は、必要に応じてホームポジションに移動し、吐出回復装置（不図示）による回復動作を行うことにより、吐出口の目詰まり等を防止し、また解消する。記録ヘッド５の上記走査に同期して、搬送ローラ対３、４が駆動され、記録シート１は、矢印Ａ方向（副走査方向）に１行分搬送される。このように複数回数の走査と搬送を繰り返すことによって記録シート１に画像等の記録を行うことができる。
【００２２】
図５は、上述したプリンタ２００の制御構成を示すブロック図である。この制御系は、ＣＰＵ２０ａ、ＣＰＵ２０ａの制御プログラムなどを格納しているＲＯＭ２０ｃ、及びＣＰＵ２０ａのワークエリアとして使用されると共にレジ調整値などの各種データの保管等を行うＲＡＭ２０ｂ等を備えた制御部２０を有している。また、インターフェース２１、操作パネル２２、各種モータを駆動するためのドライバ２７、及び記録ヘッド５を駆動するためのドライバ２８を有している。ドライバ２７によって駆動されるモータは、キャリッジ駆動用のモータ２３、給紙ローラ駆動用のモータ２４、第１搬送ローラ対駆動用のモータ２５、第２搬送ローラ対駆動用のモータ２６である。
【００２３】
以上の構成において、制御部２０は、インターフェース２１を介してホスト１００との間で記録データ等のデータを入出力する処理や、操作パネル２２から各種情報（例えば文字ピッチ、文字種類等）を入力する処理を行う。また、制御部２０は、インターフェース２１を介して各モータ２３〜２６を駆動させるためのＯＮ、ＯＦＦ信号を出力し、また、吐出信号等をドライバ２８に出力して記録ヘッドにおけるインク吐出のための駆動を制御する。
【００２４】
次に、以上説明した記録システムにおける、縦レジ調整値の設定処理、走査単位の画像補正値設定処理、および走査方向ごとの画像処理について説明する。
【００２５】
＜縦レジ調整値設定＞
図６は、プリンタ２００において行われる記録位置調整処理としての縦レジ調整の調整値を設定するための処理の一例を示すフローチャートである。
【００２６】
先ずステップＳ１１０において、プリンタ２００のオペレーションパネル上で、ユーザからレジ調整値設定モードの選択を受け付ける。これに応じて、ステップＳ１２０で、レジ調整値を設定するためのテストパターンの記録をプリンタ２００に行わせる。
【００２７】
図７は、このテストパターンデータの一例を示す図である。図において、Ｄ１１、Ｄ１２はテストパターンを往復記録する際の記録データで、Ｄ１１は第１のインクで記録する記録データ、Ｄ１２は色が異なる第２のインクで記録する記録データを示す。記録データＤ１１、Ｄ１２は、それぞれ記録ヘッドにおいて配列する複数のノズルのうちの１つのノズルから、記録ヘッドの走査方向における所定長さの範囲にインクを吐出するデータを示している。
【００２８】
図８は、図７に示す記録データを用いて記録されたテストパターンを示す図である。最初に、第１のインクを吐出する記録ヘッドの複数のノズルの１つのノズルと、第２のインクを吐出する記録ヘッドの複数のノズルの１つのノズルを使用して、パターンＰ１１を記録する。
【００２９】
図９は、図８に示すテストパターンを記録する記録ヘッドのノズル配列を示す図である。ブラック（Ｋ）、シアン（Ｃ）、マゼンタ（Ｍ）、イエロー（Ｙ）の各色のインクを記録する記録ヘッドは、各色とも記録素子として複数のノズルが、記録素子群として記録ヘッドの主走査方向に対して垂直方向（記録素子配列方向）に配列している。
【００３０】
パターンＰ１１の記録順序は、例えば往路方向で、まず記録データＤ１１を使用し、第１のインク（例えばＫインク）を吐出する記録ヘッドのノズルＮ１１で２箇所にパターンＰ１１１を記録する。次に、同じ走査方向で、記録データＤ１２を使用し、第２のインク（例えばＹインク）を吐出する記録ヘッドのノズルＮ２１でパターンＰ１１２を２つのパターンＰ１１１の間に記録する。次に、記録媒体を所定量搬送し、パターンＰ１２を記録する。パターンＰ１２は、パターンＰ１１と同じく記録データＤ１１を第１のインク（Ｋインク）を吐出する記録ヘッドのノズルＮ１１で記録する。続いて、同じ走査方向で、データＤ１２を第２のインク（Ｙインク）を吐出する記録ヘッドのノズルＮ２２で記録する。
【００３１】
以降、同様のパターン記録を繰り返し、第２のインクを記録するヘッドのノズルをノズルＮ２３、Ｎ２４、Ｎ２５、Ｎ２６と徐々にずらしながら、パターンＰ１３、Ｐ１４、Ｐ１５を記録する。
【００３２】
再び図６を参照すると、次のステップＳ１３０では、記録された図８に示すパターンの中から、最も直線的に見えるパターンがユーザによって選択される。図８に示す例では、パターンＰ１４が最も適切なパターンとなる。ステップＳ１４０では、ユーザから選択したパターンの番号の入力を受け付ける。これにより、最も直線的なパターンに対応するレジ調整値が決定される。ここで決定されるレジ調整値は、例えば、第１のインクを吐出する第１の記録ヘッドに対する、第２のインクを吐出する第２の記録ヘッドの記録素子群間の縦方向のずれ量として表される。このずれ量は長さとしても表すことも出来るし、ノズル数として表してもよい。最後に、ステップＳ１５０で決定されたレジ調整値がプリンタ２００のＲＡＭ２０ｂの所定領域に格納される。
【００３３】
なお、レジ調整値は、ユーザによる目視判断ではなく、記録装置に搭載した濃度計や測色計によるパターンの反射分光度変動量や位置変動量を自動的に読取って決定してもよい。また、変動量は外部装置で測定して決定してもよい。
【００３４】
＜走査単位の画像補正値設定＞
本発明の一実施形態では、走査単位の画像補正として、走査領域の境界における黒スジないし白スジの補正を行う。
【００３５】
図１０は、プリンタ２００の記録動作の際に行われる走査単位の画像補正の補正値を設定するための処理を示すフローチャートである。
【００３６】
先ず、ステップＳ２１０において、プリンタ２００のオペレーションパネル上で、ユーザから走査（スキャンともいう）単位の画像処理補正値設定モードの選択を受け付ける。次に、ステップＳ２２０で、走査単位の画像処理補正値を設定するためのテストパターンの記録をプリンタ２００に行わせる。このテストパターンは、例えば、走査領域の境界（つなぎ目）近傍の数ラスターの画素に対する間引き率（１００％以下および１００％以上の値）を異ならせた複数のパターンからなるものである。
【００３７】
ステップＳ２３０では、ステップＳ２２０で記録されたテストパターンの中から、黒スジまたは白スジが目立たないパターンがユーザによって選択される。そして、ステップＳ２４０では、ユーザから選択したパターンの番号の入力を受け付ける。これにより、最も適切なパターンに対応する走査単位の画像処理補正値、すなわち、つなぎ目近傍の記録データの間引き率が決定される。最後に、ステップＳ２５０で、決定された走査単位の画像処理補正値がプリンタ２００のＲＡＭ２０ｂの所定領域に格納される。
【００３８】
＜走査方向ごとの画像処理＞
本発明の一実施形態では、走査方向ごとに異ならせる画像処理として、色変換のプロファイルを走査方向によって切り替える処理を行う。
【００３９】
その一例として図２２は、プリンタ２００で用いる記録データを、ホスト装置１００とプリンタ２００で生成するための画像処理を示している。
【００４０】
図２２は、本実施形態の画像処理の構成を示すブロック図である。図２２は、プリンタ２００で用いる記録データを、ホスト装置１００とプリンタ２００で生成するための画像処理を示している。すなわち、本実施形態の画像処理は、レッド（Ｒ），グリーン（Ｇ），ブルー（Ｂ）各色８ビット（それぞれ２５６階調）の画像データ（輝度データ）を、最終的にＣ、Ｍ、Ｙ、Ｋの各色１ビットのビットイメージデータ（記録データ）に変換する。なお、色の種類や、色の階調はこの値に限るものではないことはもちろんである。
【００４１】
まず、ホスト装置１００において、３次元ルックアップテーブル（以下、ＬＵＴともいう）を用いた色空間変換処理５０１を行い、Ｒ，Ｇ，Ｂ各色８ビットの輝度データをＲ′，Ｇ′，Ｂ′各色８ビットまたは１０ビットのデータに変換する。この色空間変換前処理（前段色処理とも称する）は、Ｒ，Ｇ，Ｂの輝度データが表わす入力画像の色空間とプリンタ２００で再現可能な色空間の差を補正するために行なわれる。
【００４２】
前段色処理を施されたＲ′，Ｇ′，Ｂ′各色のデータは、プリンタ２００に送信される。プリンタ２００は、３次元ＬＵＴを用いた色変換処理５０２を行い、ホスト装置より受信した前段色処理が施されたＲ′，Ｇ′，Ｂ′各色のデータをＣ，Ｍ，Ｙ，Ｋ各色１０ビットのデータに変換する。この色変換処理（後段色処理とも称する）は、輝度信号で表現される入力系のＲＧＢ系データを、濃度信号で表現するための出力系のＣＭＹＫ系データに色変換するために行なわれる。入力データはディスプレイなど発光体の加法混色の３原色（ＲＧＢ）で作成されている場合が多く、一方、プリンタなどでは光の反射で色を表現する減法混色の３原色（ＣＭＹ）が用いられているため、このような色変換処理が行なわれる。
【００４３】
なお、上述した前段色処理や後段色処理に用いられる３次元ＬＵＴは、各色の組み合わせによって表わされる、例えば３次元空間上の点のうち所定間隔にある点（代表点ないし格子点）に対するデータのみが用意されている。各色８ビットまたは１０ビットのデータの組み合わせ全てに対応してテーブルデータを用意すると３次元ＬＵＴの容量が大きくなってしまうため、必要となるメモリ容量を節約するために代表点に対応するデータが用意されている。従って、所定間隔にある代表点以外の点の８ビットまたは１０ビットデータへの変換は、補間処理を用いて行われる。なお、この補間処理は公知の技術により行なわれている。
【００４４】
次に、後段色処理が施されたＣ，Ｍ，Ｙ，Ｋ各色１０ビットのデータは、それぞれの色の１次元ＬＵＴを用いた出力γ補正処理５０３が行なわれる。通常、記録媒体の単位面積当たりに記録されるドットの数と、記録された画像を測定して得られる反射濃度などの記録特性は、線形関係にならない。そのため、Ｃ，Ｍ，Ｙ，Ｋ各１０ビットの入力階調レベルとそれによって記録される画像の濃度レベルが線形関係となるように、Ｃ，Ｍ，Ｙ，Ｋ各１０ビットの入力階調レベルを補正する出力γ補正処理が行なわれる。
【００４５】
一般に、出力γ補正テーブル（１次元ＬＵＴ）は、標準的な記録特性を示す記録ヘッド用に作成されたものが用いられることが多い。
【００４６】
出力γ補正を行った後、誤差拡散による量子化処理５０４を行う。本実施形態のプリンタ２００は、２値記録装置であるので、量子化処理５０４として、上記のように得られたＣ，Ｍ，Ｙ，Ｋ各色８ビットのデータをＣ，Ｍ，Ｙ，Ｋ各色１ビットのデータに２値化する２値化処理を行う。なお、本実施形態では、２値化の手法として誤差拡散法を用いているが、２値化の方法は誤差拡散法の他にディザ法など公知の方法を用いてもよい。
【００４７】
本実施形態において、色空間変換処理５０１、色変換処理５０２および出力γ補正処理５０３で用いるそれぞれのＬＵＴはプリンタ２００に保持されているが、予めＲＯＭ２０ｃに格納しておいても、ＲＡＭ２０ｂに格納しておいてもよい。また、ＲＯＭ２０ｃに格納しておく場合には、ひとつの目的のために複数のＬＵＴを予め用意しておき、そのうちから適当なＬＵＴを選択して利用できるように構成されていることが望ましい。次に説明するように、往復双方向記録において、往方向と復方向で色変換処理５０２の内容が切り替えられる。そのために往復走査それぞれに対応して色変換処理のＬＵＴが格納されている。
【００４８】
図２３は、上述した構成において、記録ヘッドを双方向に走査させて記録する記録装置において、主走査方向の往路と復路の色変換処理５０２の内容を切り替える処理を含む画像処理を示すフローチャートである。この色変換処理の切り替えは、記録ヘッドにおける各色ノズルの走査方向の配列と走査の往方向と復方向に応じて各色インクの重なり順序が異なることによって生じ得る色味の違いに対処したものである。
【００４９】
まず、画像データは、ホスト装置において色空間変換処理が行われている（Ｓ５１１）。そして、プリンタ２００では、先ず、ステップＳ５１２で画像データを記録する際の走査方向を判定し、往路方向で記録する場合はステップＳ５１３の処理へ、復路方向で記録する場合はステップＳ５２３の処理へ進む。
【００５０】
そして、ステップＳ５１３では、往路方向の色変換処理５０２を行う。すなわち、上述した色味の違いを考慮した往方向用のＬＵＴを用いて色変換処理を行う。その後、ステップＳ５１４で出力γ処理を行、ステップＳ５１５で量子化処理を行う。復方向の走査の場合は、ステップＳ５２３で、同様に復路方向の色変換処理５０２を行う。すなわち、復方向用のＬＵＴを用いて色変換処理を行う。そして、ステップＳ５２４で出力γ処理を行、ステップＳ５２５で量子化処理を行う。
【００５１】
本発明の一実施形態に係る記録方法は、以上説明した、記録ヘッドのノズル配列方向の記録位置の調整処理（縦レジ調整）の方法を適切に切り替えるものである。
【００５２】
以下、縦レジ調整の方法として、第１の縦レジ調整方法（第１の記録位置調整）および第２の縦レジ調整方法（第２の記録位置調整）の詳細について説明する。
【００５３】
第１の縦レジ調整方法
図１１は、第１の縦レジ調整方法に係る、第１の処理としての記録データ生成処理を示すフローチャートである。本処理は、プリンタ２００の記録動作の際に行われるものであり、ＣＰＵ２０ａによって実行される。
【００５４】
先ず、ステップＳ４１０では、ホスト１００のＧＵＩ上から記録データの記録操作指示、またはプリンタ２００のオペレーションパネルから記録データの記録操作指示を受け付けて、本処理が開始される。
【００５５】
第１の縦レジ調整方法では、先ずステップＳ４２０で、プリンタ２００のＲＡＭ２０ｂに格納された縦レジ調整値が取得される。そして、ステップＳ４３０で、ステップＳ４２０で取得した縦レジ調整値に応じて、各インク色のヘッドの位置情報を決定し、その位置情報に基づいて記録に使用するノズルを決定する。
【００５６】
例えば、図６にて説明した縦レジ調整値の設定の結果として、ステップＳ１３０で選択されたパターンが、第１のヘッドをＫとするときに第２のヘッドの各色が
Ｃ＝Ｐ１２
Ｍ＝Ｐ１５
Ｙ＝Ｐ１４
であった場合、図９に示す各色の記録ヘッドのノズルは、Ｋヘッドに対し、
Ｃ＝下方向に１ノズル
Ｍ＝上方向に２ノズル
Ｙ＝上方向に１ノズル
ずれを生じていることになる。この場合、各色の記録ヘッドのノズル位置は図１２に示すようになり、全色の記録ヘッドのうち、主走査方向に同一の位置にあるノズル、つまり破線で囲まれたノズルＮ５４〜ノズルＮ６４までの範囲のノズルを記録に使用するノズルとして決定する。すなわち、本ステップの後に行なわれる画像処理における走査領域に対応した単位は、上記決定したノズル範囲によって走査される領域となる。
【００５７】
以上の縦レジ調整を終了すると、次に、ステップＳ４４０で、記録データを走査方向別に分割し、ステップＳ４５０で、走査方向に応じて、上述した走査方向ごとの画像処理を行う。
【００５８】
次いで、ステップＳ４６０で、プリンタ２００のＲＡＭ２０ｂに格納された走査単位の画像処理補正値が取得される。そして、ステップＳ４７０で、ステップＳ４６０で取得した走査単位の画像処理補正値に応じて、上述した走査単位の画像処理を行う。
【００５９】
以上の処理を終了すると、ステップＳ４８０で、ステップＳ４７０で画像処理した記録データに基づきステップＳ４３０で決定した使用ノズルを使用して記録を行う。
【００６０】
以上説明したように、第１の縦レジ調整方法によれば、上記縦レジ調整で、ずれのない使用ノズルの範囲が決定される。これにより、縦レジ調整の後に、走査領域単位の処理、つまり記録ヘッドのノズルに対応付けられた画像処理が行われても、処理後の記録データはそもそも使用ノズル範囲に対応した走査領域とずれることがない。
【００６１】
第２の縦レジ調整方法
図１３は、第２の縦レジ調整方法に係る、第２の処理としての記録データ生成処理を示すフローチャートである。本処理は、同じくプリンタ２００の記録動作の際に行われるものであり、ＣＰＵ２０ａによって実行される。
【００６２】
まず、ステップＳ３１０では、ホスト１００のＧＵＩ上から記録データの記録操作指示、またはプリンタ２００のオペレーションパネルから記録データの記録操作指示を受け付けて本処理が開始される。
【００６３】
最初にステップＳ３２０で、プリンタ２００のＲＡＭ２０ｂに格納された縦レジ調整値が取得される。そして、ステップＳ３３０で、ステップＳ３２０で取得した縦レジ調整値に応じて、各インク色の画像データを、記録位置のずれが下側に最も大きい記録ヘッドとの差分だけずらす処理を行う。
【００６４】
例えば、図６にて説明した縦レジ調整値の設定の結果として、ステップＳ１３０で選択されたパターンが、第１のヘッドをＫとしたときに第２のヘッドの各色が
Ｃ＝Ｐ１２
Ｍ＝Ｐ１５
Ｙ＝Ｐ１４
であった場合、図９に示す各色の記録ヘッドのノズルは、Ｋヘッドに対し、以下のずれが生じていることになる（図１２）。
【００６５】
Ｃ＝下方向に１ノズル
Ｍ＝上方向に２ノズル
Ｙ＝上方向に１ノズル
この場合、Ｃヘッドが下側に最もずれた記録ヘッドであり、各色の画像データを図１４に示すように、Ｃヘッドとのずれ量の差分を逆方向にずらす。つまり、各色の画像データを、以下のようにずらす。
【００６６】
Ｋ＝下方向に１ノズル（ドット）分
Ｍ＝下方向に３ノズル（ドット）分
Ｙ＝下方向に２ノズル（ドット）分
次に、ステップＳ３４０で、画像データを走査方向別に分割し、ステップＳ３５０で、走査方向に応じて、上述の走査方向別画像処理を行う。
【００６７】
次に、ステップＳ３６０で、プリンタ２００のＲＡＭ２０ｂに格納された走査単位の画像処理補正値が取得される。そして、ステップＳ３７０で、ステップＳ３６０で取得した走査単位の画像処理補正値に応じて、上述した走査単位の画像処理を行う。
【００６８】
最後に、ステップＳ３８０で、ステップＳ３７０でずらして得た記録データに基づいて記録を行う。
【００６９】
以上のように、第２の縦レジ調整方法によれば、記録位置のずれに応じて画像データが全体的にずらされる。これにより、縦レジ調整後の記録データと、走査領域に対応付けられているノズルとの対応がずれることがない。
【００７０】
第１の縦レジ調整方法と第２の縦レジ調整方法との切り替え
第１の縦レジ調整方法は、使用ノズルを限定するために、スループットに影響する可能性があるが、画像をずらす分のバッファや処理能力が不要のため安価に実現することができる。一方、第２の縦レジ調整方法は、全ノズルを使用できることから、スループットに影響しないが少ないが、画像の縦方向の解像度がノズル列解像度よりも低い場合は、縦レジ調整が正しく行われずに画像劣化を招くおそれがある。例えば、１２００ｄｐｉ（１／１２００インチ）の記録ヘッドがずれて配置された場合、レジ調整値（ずらし量）は１２００ｄｐｉ単位で必要になる。しかし、画像解像度が１２００ｄｐｉより低い場合、例えば６００ｄｐｉの場合は、ノズル解像度よりも粗い６００ｄｐｉ単位でしかデータをずらすことができず、最適なずらし量よりも多く、又は少なくずらさなければならない場合もある。
【００７１】
以上のことを踏まえ、本発明の一実施形態では、記録を行う際の記録条件に応じて、上記第１の縦レジ調整方法と第２の縦レジ調整方法とを切り替えるものである。
【００７２】
１．記録モードによる切り替え
本実施形態の記録装置では、ユーザが求める記録画像の画像品位、記録速度に応じて３つの記録モードが設けられている。記録に要する時間は長くても高画質な画像を求める「きれい」モード、画質は低下しても記録に要する時間を短くすることを求める場合は「はやい」モードが選択できるようになっている。また、標準的な画質および記録速度を求める場合には、「標準」モードが選択できるようになっている。これら記録モードでは、駆動解像度、キャリッジ速度、マルチパス記録のパス数などが適切に設定されており、多様なユーザニーズに合わせた画像記録が実現できるものである。
【００７３】
そこで、第１の記録モードとして、「標準」モードまたは「きれい」モードが選択された場合には、使用ノズル範囲を限定する第１の縦レジ調整方法を実施した上で、記録を実行する。一方、第２の記録モードとして、「はやい」モードが選択された場合には、記録データをずらす第２の縦レジ調整方法を実施した上で、記録を実行する。
【００７４】
以上の構成により、記録時間を短縮することが要求されるモードでは、各ノズル列の全ノズルを使用して記録を行うことができ、スループットの低下を抑制できる。一方、高品位の画像記録が要求されるモードでは、画像の縦方向の解像度とノズル解像度との不一致による画像劣化を防止することができる。このようにして、スループット低下の軽減と、記録品位の向上とを両立させることが可能となる。
【００７５】
なお、「標準」モードが選択された場合に、第２の縦レジ調整方法を実施して、記録を実行するようにしても構わない。
【００７６】
２．記録媒体の種類による切り替え
使用する記録媒体の種類に応じて、上記第１の縦レジ調整方法と第２の縦レジ調整方法とを切り替えることも可能である。
【００７７】
つまり、普通紙は文書の記録に使用されることが多く、記録品位の向上よりも記録速度の向上が求められることが多い。逆に、光沢紙などの高品位用紙は、写真などの画像記録に使用されることが多く、スループット向上よりも記録品位の向上が求められることが多い。
【００７８】
そこで、ここでは、使用される記録媒体の種類が普通紙の場合には、使用ノズル範囲を限定する第１の縦レジ調整方法を実施した上で、記録を実行する。一方、使用される記録媒体の種類が高品位用紙の場合には、記録データをずらす第２の縦レジ調整方法を実施した上で、記録を実行する。
【００７９】
以上の構成によって、記録速度向上と記録品位の向上とを両立させることが可能となる。
【００８０】
３．走査回数による切り替え
ここでは、使用ノズル範囲を限定する第１の縦レジ調整方法を実施した場合に、走査回数が増加するか否かに応じて、第１の縦レジ調整方法と第２の縦レジ調整方法とを切り替える。
【００８１】
例えば、各ノズル列のノズル数が２５６ノズルである記録ヘッドを用いて、縦方向（副走査方向）が２５６０ノズル相当（２５６０ドット分）の画像を記録する場合を例に採る。この場合、縦レジ調整を行わない、またはノズル列中の全ノズルを使用できる第２の縦レジ調整方法では、記録ヘッドの１０回の走査により画像を記録することが出来る。一方、第１の縦レジ調整方法を採用したときに、使用ノズルを２５６ノズル中２５４ノズルに限定すると、必要な走査回数は１１回となってしまう。
【００８２】
以上のことから、画像を記録するにあたり、走査回数が増加する場合には第２の縦レジ調整方法を採用し、走査回数に変化がない場合には第１の縦レジ調整方法を採用する。これにより、スループットの低下を招くことなく、記録品位の向上を図ることができる。
【００８３】
なお、上述の画像記録に必要な走査回数は、縦レジ調整値（ずれ量）と画像の縦方向のサイズ（ドット数）とにより決定されるものであるから、これらに基いて縦レジ調整方法を切り替えることになる。また、上述の処理は、１ページ分など定領サイズの画像ごとに実施すればよい。
【００８４】
４．画像の解像度による切り替え
ここでは、記録画像の縦方向（副走査方向）の解像度に応じて、第１の縦レジ調整方法と第２の縦レジ調整方法とを切り替える。
【００８５】
まず、記録すべき画像データの縦方向の解像度を取得し、その解像度とノズル列の解像度（ピッチ）とを比較判断する。そして、画像の解像度がノズル列の解像度よりも低解像度の場合には、使用ノズルを限定する第１の縦レジ調整方法を行う。これにより、画像の縦方向の解像度とノズル解像度とが不一致であることにより、最適なレジ調値を設定できないという問題を防止することができる。一方で、画像の解像度がノズル列の解像度と同じ、若しくは高い（ノズル解像度以上）場合には、全ノズルを使用して画像データをずらす第２の縦レジ調整方法を行う。これにより、高品位の画像記録を実現し、かつスループットの低下を防止できる。
【００８６】
以上の構成によって、記録速度向上と記録品位の向上とを両立させることが可能となる。
【００８７】
＜レジ調整用パターン記録の他の例１＞
上述の実施の形態では、テストパターンを、記録する第２のヘッドのうち、使用するノズルを変えて同一のテストパターンを記録した。これに限られず、同一のノズルを使用して、記録するテストパターンを変化させて記録してもよい。以下、テストパターンを変化させて記録するテストパターンの記録方法について説明する。
【００８８】
図１５は、レジ調整値を設定するために記録する本例のテストパターンデータを示す図である。図１５において、Ｄ２１は第１のインクで記録する記録データ、Ｄ２２〜Ｄ２７は第２のインクで記録する記録データを示す。
【００８９】
図１５の記録データを用いて記録するテストパターンは図８に示すものである。最初に、第１のインクを記録するヘッドにおける複数ノズルの一部のノズルと、第２のインクを記録するヘッドにおける多ノズルの一部のノズルを使用して、パターンＰ１１を記録する。
【００９０】
図１６は、図８のテストパターンを記録するヘッドを示す図である。Ｋ，Ｃ，Ｍ，Ｙの各色のインクを記録するヘッドが、各色複数のノズルが、ヘッドの主走査方向に対し垂直方向に構成されている。
【００９１】
パターンＰ１１の記録順序は、例えば往路方向で、まず記録データＤ２１を使用して第１のインク（例えばＫインク）を記録するヘッドのＮ３１のノズルでパターンＰ１１１を記録する。次に、同じ走査方向で、データＤ２２を使用して第２のインク（例えばＹインク）を記録するヘッドのＮ４１のノズルでパターンＰ１１２を記録する。
【００９２】
次に、記録媒体を搬送し、パターンＰ１２を記録する。Ｐ１２はＰ１１と同じく記録データＤ２１を第１のインク（例えばＫインク）を吐出するヘッドのＮ１１のノズルで記録する。続いて、同じ走査方向で、データＤ２３を第２のインク（例えばＹインク）を吐出するヘッドのＮ４１のノズルで記録する。以降これを繰り返し、第２のインクを記録するヘッドで記録データをＤ２４、Ｄ２５、Ｄ２６、Ｄ２７と徐々にずらしながら、パターンＰ１３、Ｐ１４、Ｐ１５を記録する。
【００９３】
＜レジ調整用パターン記録の他の例２＞
上記のテストパターンは、直線状に見えるものとしたが、帯状で一様に見えるパターンであっても構わない。
【００９４】
図１７は、レジ調整値を設定するために記録する本例のテストパターンデータを示す図である。図１７において、Ｄ３１、Ｄ３２はテストパターンを往復記録する際の記録データで、Ｄ３１は第１のインクで記録する記録データ、Ｄ３２は第２のインクで記録する記録データである。
【００９５】
図１８は、図１７の記録データを用いて記録するテストパターンを示す図である。最初に、第１のインクを記録するヘッドにおける複数ノズルの一部のノズルと、第２のインクを記録するヘッドにおける複数ノズルの一部のノズルを使用して、パターンＰ２１を記録する。
【００９６】
図１９は、図１８に示すテストパターンを記録するヘッドを示す図である。Ｋ，Ｃ，Ｍ，Ｙの各色のインクを記録するヘッドが、各色複数のノズルが、ヘッドの主走査方向に対し垂直方向に構成されている。
【００９７】
パターンＰ２１の記録順序は、例えば往路方向で、まず記録データＤ３１を使用して第１のインク（例えばＫインク）を記録するヘッドのＮ５１のノズルでパターンＰ２１１を記録する。次に、同じ走査方向で、記録データＤ３２を使用して第２のインク（例えばＹインク）を記録するヘッドのＮ６１のノズルでパターンＰ２１２を記録する。
【００９８】
次に、記録媒体を搬送し、パターンＰ２２を記録する。Ｐ２２はＰ２１と同じく記録データＤ３１を第１のインク（例えばＫインク）を記録するヘッドのＮ５１のノズルで記録する。続いて、同じ走査方向で、データＤ３２を第２のインク（例えばＹインク）を記録するヘッドのＮ６２のノズルで記録する。以降これを繰り返し、第２のインクを記録するヘッドのノズルをＮ６３、Ｎ６４、Ｎ６５、Ｎ６６と徐々にずらしながら、パターンＰ２３、Ｐ２４、Ｐ２５を記録する。
【００９９】
記録された図１８のパターンの中から、それぞれ最も一様な帯状に見えるパターンがユーザにより選択される。図１８の例ではＰ２４が最も適切なパターンとなる。
【０１００】
また、第１の他の例のように、同一のノズルを使用して、記録するテストパターンを変化させて記録しても構わない。
【０１０１】
図２０は、そのテストパターンデータを示す図である。図２０において、Ｄ４１は第１のインクで記録する記録データ、Ｄ４２〜Ｄ４７は第２のインクで記録する記録データである。図２０の記録データを用いて記録するテストパターンは図１８に示すものである。最初に、第１のインクを記録するヘッドにおける多ノズルの一部のノズルと、第２のインクを記録するヘッドにおける多ノズルの一部のノズルを使用して、パターンＰ２１を記録する。
【０１０２】
図２１は、図１８のテストパターンを記録するヘッドを示す図である。Ｋ，Ｃ，Ｍ，Ｙの各色のインクを記録するヘッドが、各色複数のノズルが、ヘッドの主走査方向に対し垂直方向に構成されている。
【０１０３】
パターンＰ２１の記録順序は、例えば往路方向で、まず記録データＤ４１を使用して第１のインク（例えばＫインク）を記録するヘッドのＮ７１のノズルでパターンＰ２１１を記録する。次に、同じ走査方向で、データＤ４２を使用して第２のインク（例えばＹインク）を記録するヘッドのＮ８１のノズルでパターンＰ２１２を記録する。
【０１０４】
次に、記録媒体を搬送し、パターンＰ２２を記録する。Ｐ２２はＰ２１と同じく記録データＤ４１を第１のインク（例えばＫインク）を記録するヘッドのＮ１１のノズルで記録する。続いて、同じ走査方向で、データＤ４３を第２のインク（例えばＹインク）を記録するヘッドのＮ８１のノズルで記録する。以降これを繰り返し、第２のインクを記録するヘッドで記録データをＤ４４、Ｄ４５、Ｄ４６、Ｄ４７と徐々にずらしながら、パターンＰ２３、Ｐ２４、Ｐ２５を記録する。
【０１０５】
なお、本明細書において、記録とは、文字、図形等有意の情報を形成する場合のみならず、記録媒体上に液体を付与することによって広く画像、模様、パターン等を形成する、または媒体の加工を行う場合も言うものとする。
【０１０６】
また、「記録媒体」とは、一般的な記録装置で用いられている紙のみならず、広く布、プラスチックフィルム、金属板等、記録ヘッドによって吐出されるインクを受容可能なものも言うものとする。
【０１０７】
さらに「インク」とは、上記「プリント」の定義と同様広く解釈されるべきもので、記録媒体上に付与されることによって画像、模様、パターン等の形成、または記録媒体の加工に供されうる液体を言うものとする。
【０１０８】
なお、以上の実施形態において、記録ヘッドから吐出される液滴はインクであるとして説明し、さらにインクタンクに収容される液体はインクであるとして説明したが、その収容物はインクに限定されるものではない。例えば、記録画像の定着性や耐水性を高めたり、その画像品質を高めたりするために記録媒体に対して吐出される処理液のようなものがインクタンクに収容されていても良い。
【０１０９】
（さらに他の実施形態）
なお、上述の実施例では、縦レジ調整後に走査単位の画像処理と走査方向ごとの画像処理との２種類を実行するようにしているが、これらの画像処理を実行しないようにすることもできる。また、画像処理は上記のものに限られず、その他の走査領域ごとに行われる処理などを行うことができる。
【０１１０】
また、上述の実施形態では、Ｃ、Ｍ、Ｙ、Ｋの４色インクを吐出する記録ヘッドを用いる例を示したが、淡色インク、特色インクなど他の色のインクを吐出するヘッドを含む構成のヘッドでも構わない。また、記録ヘッドの構成が、インク色ごとのノズル列を一体の設けたものであってもよい。更に、上述の実施形態では、基準とする第１のインクをＫインクとしたが、その他の色のインクの記録ヘッド（ノズル列）を基準としてもよいことはもちろんである。
【０１１１】
また、テストパターン記録データは、ヘッドの主走査方向に１ドットのデータが並ぶテストパターン記録データとして構成し、それを記録したテストパターンの中から１本の直線状に見えるパターンを選択させた。しかし、記録データとしては、ヘッドの主走査方向に複数ドットのデータが並ぶ記録データでも、主走査方向において複数ドット毎に複数ドットのデータが並ぶ記録データを記録して、複数本の直線状に見えるパターンを選択させても構わない。
【０１１２】
本発明は、上述した実施形態の機能を実現する、図１１、図１３に示したフローチャートの手順を実現するプログラムコード、またはそれを記憶した記憶媒体によっても実現することができる。また、記憶媒体に格納されたプログラムコードがシステムあるいは装置のコンピュータ（またはＣＰＵやＭＰＵ）に読取られ実行されることによっても達成される。この場合、記憶媒体から読み出されたプログラムコード自体が前述した実施形態の機能を実現することになり、そのプログラムコードを記憶した記憶媒体は本発明を構成することになる。
【０１１３】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１１４】
また、コンピュータが読み出したプログラムコードを実行することにより、前述した実施形態の機能が実現されるだけでなく、そのプログラムコードの指示に基づき、コンピュータ上で稼動しているＯＳが実際の処理の一部または全部を行うものであってもよい。
【０１１５】
更に、プログラムコードが、コンピュータに挿入された機能拡張ボードやコンピュータに接続された機能拡張ユニットに備わるメモリに書き込まれた後、そのプログラムコードの指示に基づき、ＣＰＵなどが実際の処理の一部または全部を行うものであってもよい。
【０１１６】
（さらに他の実施形態）
以上説明した記録装置は、インクジェット方式のものであるが、これに限られないことは、上記の説明からもあきらかである。また、上述の各実施形態では、図１１、図１３に係る処理を記録装置において実行するとしたが、この形態に限られないことはもちろんである。これらの処理をホスト装置側で行うようにしてもよい。
【図面の簡単な説明】
【０１１７】
【図１】（ａ）〜（ｃ）は、ノズル数の多い記録ヘッドにおけるノズルのずれを説明する図である。
【図２】図１（ａ）に示す記録ヘッドの全ノズルを使用して記録した結果の一例を示す図である。
【図３】本発明の一実施形態に係わる記録システムの構成を示すブロック図である。
【図４】上記記録システムにおけるプリンタの機械的構成を示す概略斜視図である。
【図５】上記プリンタの制御構成を示すブロック図である。
【図６】上記プリンタにおいて行われる縦レジ調整の調整値を設定するための処理の一例に対応するフローチャートである。
【図７】上記レジ調整で用いるテストパターンデータの一例を示す図である。
【図８】図７に示す記録データを用いて記録されたテストパターンを示す図である。
【図９】図８に示すテストパターンを記録する記録ヘッドのノズル配列を示す図である。
【図１０】プリンタ２００の記録動作の際に行われる走査単位の画像補正の補正値を設定するための処理を示すフローチャートである。
【図１１】本発明の一実施形態に係る第１の縦レジ調整方法に係る記録データ生成処理を示すフローチャートである。
【図１２】上記第１の縦レジ調整方法による各色の記録ヘッドのノズル位置を示す図である。
【図１３】本発明の一実施形態に係る第２の縦レジ調整方法に係る記録データ生成処理を示すフローチャートである。
【図１４】上記第２の縦レジ調整方法による各色の記録ヘッドのノズル位置を示す図である。
【図１５】レジ調整値を設定するために記録する他の例のテストパターンデータを示す図である。
【図１６】図１５のデータに基づくテストパターンを記録するヘッドを示す図である。
【図１７】レジ調整値を設定するために記録するさらに他の例のテストパターンデータを示す図である。
【図１８】図１７の記録データを用いて記録するテストパターンを示す図である。
【図１９】図１８に示すテストパターンを記録するヘッドを示す図である。
【図２０】さらに他の例のテストパターンデータを示す図である。
【図２１】図２０のデータに基づいてテストパターンを記録するヘッドを示す図である。
【図２２】本発明の一実施形態に係る画像処理の構成を示すブロック図である。
【図２３】図２２に示す構成を有した記録装置において、記録ヘッドを双方向に走査させて記録する主走査方向の往路と復路の色処理を切り替える画像処理の流れを示すフローチャートである。
【符号の説明】
【０１１８】
５    記録ヘッド
６    キャリッジ
１０    ＣＰＵ
１１    メモリ
１２    入力部
１３    外部記憶部
１４    インターフェース
２０    制御部
２１    インターフェース
２２    操作パネル
１００    ホスト
２００    プリンタ
【図１】
0005274133.tif 000002
【図２】
0005274133.tif 000003
【図３】
0005274133.tif 000004
【図４】
0005274133.tif 000005
【図５】
0005274133.tif 000006
【図６】
0005274133.tif 000007
【図７】
0005274133.tif 000008
【図８】
0005274133.tif 000009
【図９】
0005274133.tif 000010
【図１０】
0005274133.tif 000011
【図１１】
0005274133.tif 000012
【図１２】
0005274133.tif 000013
【図１３】
0005274133.tif 000014
【図１４】
0005274133.tif 000015
【図１５】
0005274133.tif 000016
【図１６】
0005274133.tif 000017
【図１７】
0005274133.tif 000018
【図１８】
0005274133.tif 000019
【図１９】
0005274133.tif 000020
【図２０】
0005274133.tif 000021
【図２１】
0005274133.tif 000022
【図２２】
0005274133.tif 000023
【図２３】
0005274133.tif 000024